(57)【要約】      （修正有）【課題】照明器具において安定して高い防水性能を得る。【解決手段】光源と、光源が配置されるベース部１２１およびこのベース部１２１から光源が配置される側に膨出するように設けられている周側壁１２２を有する本体ケース１２０と、周側壁１２２の内側に嵌め込まれる周側部１３２を有し、本体ケース１２０と組み合わされた状態において、光源を覆って光源からの光が透過する透光カバー１３０とを備える。また、周側壁１２２の内側に沿うようにベース部１２１に設けられ、周側部１３２とベース部１２１との間で挟まれて弾性変形する弾性体１４０と、弾性体１４０の周側部１３２と接する側に塗布されている接着剤とを備える。周側部１３２は、弾性体１４０の弾性変形による反力により周側壁１２２側に押圧されている。接着剤の一部１５１は、周側部１３２および周側壁１２２と密着した状態で固化している。【選択図】図１０
2013222654.tif 000002
【特許請求の範囲】
【請求項１】
光源と、
前記光源が配置されるベース部および該ベース部から前記光源が配置される側に膨出するように設けられている周側壁を有する本体ケースと、
前記周側壁の内側に嵌め込まれる周側部を有し、前記本体ケースと組み合わされた状態において、前記光源を覆って前記光源からの光が透過する透光カバーと、
前記周側壁の内側に沿うように前記ベース部に設けられ、前記本体ケースと前記透光カバーとが組み合わされた状態において、前記周側部と前記ベース部との間で挟まれて弾性変形する弾性体と、
前記弾性体の前記周側部と接する側に塗布されている接着剤と
を備え、
前記周側部は、前記弾性体の弾性変形による反力により前記周側壁側に押圧されており、
前記接着剤の一部は、前記周側壁側に押圧された前記周側部と前記周側壁との間で押し潰されて前記周側部および前記周側壁と密着した状態で固化している、照明器具。
【請求項２】
前記透光カバーにおいては、互いに対向する前記周側部同士の間の距離が先端に行くに従って長くなるように前記周側部が傾斜している、請求項１に記載の照明器具。
【請求項３】
前記弾性体は、前記周側部と接する側に、前記ベース部から離れるに従って前記周側壁から遠ざかる傾斜面を有する、請求項１に記載の照明器具。
【請求項４】
前記周側部は、前記弾性体と接する端部に、先端に行くに従って前記周側壁に近づく傾斜面を有する、請求項１に記載の照明器具。
【請求項５】
前記本体ケースは、表面にフッ素系の塗膜を有する、請求項１から４のいずれかに記載の照明器具。
【請求項６】
前記接着剤の主成分がシリコーン樹脂である、請求項５に記載の照明器具。
【請求項７】
前記光源がＬＥＤである、請求項１から６のいずれかに記載の照明器具。
【発明の詳細な説明】
【技術分野】
【０００１】
本発明は、照明器具に関し、特に、寒冷地または高温多湿地域にて使用される屋外用照明器具に関する。
【背景技術】
【０００２】
ＬＥＤ(Light Emitting Diode)を光源とする照明装置を開示した先行文献として、特開２００９−１５２１６９号公報(特許文献１)がある。特許文献１に記載された照明装置においては、光源体を収納する器具本体の開口部に透光カバーが配設されている。器具本体の開口部と透光カバーの開口部は、シリコーン樹脂などからなるパッキングを介して嵌合させ防水性を保持するように構成されている。
【先行技術文献】
【特許文献】
【０００３】
【特許文献１】特開２００９−１５２１６９号公報
【発明の概要】
【発明が解決しようとする課題】
【０００４】
シリコーン樹脂などからなるパッキングを用いて防水性を保持させる場合、器具本体と透光カバーとがシリコーン樹脂を介して隙間なく密着していなければ防水性能が不十分となる。
【０００５】
本発明は上記の問題点に鑑みてなされたものであって、安定して高い防水性能を有する照明器具を提供することを目的とする。
【課題を解決するための手段】
【０００６】
本発明に基づく照明器具は、光源と、光源が配置されるベース部およびこのベース部から光源が配置される側に膨出するように設けられている周側壁を有する本体ケースと、周側壁の内側に嵌め込まれる周側部を有し、本体ケースと組み合わされた状態において、光源を覆って光源からの光が透過する透光カバーとを備える。また、照明器具は、周側壁の内側に沿うようにベース部に設けられ、本体ケースと透光カバーとが組み合わされた状態において、周側部とベース部との間で挟まれて弾性変形する弾性体と、弾性体の周側部と接する側に塗布されている接着剤とを備える。周側部は、弾性体の弾性変形による反力により周側壁側に押圧されている。接着剤の一部は、周側壁側に押圧された周側部と周側壁との間で押し潰されて周側部および周側壁と密着した状態で固化している。
【０００７】
本発明の一形態においては、透光カバーにおいては、互いに対向する周側部同士の間の距離が先端に行くに従って長くなるように周側部が傾斜している。
【０００８】
本発明の一形態においては、弾性体は、周側部と接する側に、ベース部から離れるに従って周側壁から遠ざかる傾斜面を有する。
【０００９】
本発明の一形態においては、周側部は、弾性体と接する端部に、先端に行くに従って周側壁に近づく傾斜面を有する。
【００１０】
本発明の一形態においては、本体ケースは、表面にフッ素系の塗膜を有する。
本発明の一形態においては、接着剤の主成分がシリコーン樹脂である。
【００１１】
本発明の一形態においては、光源がＬＥＤである。
【発明の効果】
【００１２】
本発明によれば、照明器具において安定して高い防水性能を得られる。
【図面の簡単な説明】
【００１３】
【図１】本発明の実施形態１に係る照明器具の外観を示す側面図である。
【図２】同実施形態に係る照明器具の外観を示す斜視図である。
【図３】同実施形態に係る本体ケースの外観を示す斜視図である。
【図４】同実施形態に係る本体ケースに弾性体が設けられた状態を示す斜視図である。
【図５】図４の本体ケースを矢印Ｖ方向から見た図である。
【図６】同実施形態に係る透光カバーの外観を示す斜視図である。
【図７】図６の透光カバーを矢印ＶＩＩ方向から見た図である。
【図８】本体ケースと透光カバーとを組み合わせる状態を示す側面図である。
【図９】同実施形態において、本体ケースの周側壁の内側に透光カバーの周側部を嵌め込む状態を示す断面図である。
【図１０】同実施形態において、本体ケースの周側壁の内側に透光カバーの周側部が嵌め込まれた状態を示す断面図である。
【図１１】本発明の実施形態２に係る照明器具において、本体ケースの周側壁の内側に透光カバーの周側部を嵌め込む状態を示す断面図である。
【図１２】同実施形態において、本体ケースの周側壁の内側に透光カバーの周側部が嵌め込まれた状態を示す断面図である。
【図１３】本発明の実施形態３に係る照明器具において、本体ケースの周側壁の内側に透光カバーの周側部を嵌め込む状態を示す断面図である。
【図１４】同実施形態において、本体ケースの周側壁の内側に透光カバーの周側部が嵌め込まれた状態を示す断面図である。
【発明を実施するための形態】
【００１４】
以下、本発明の実施形態１に係る照明器具について図面を参照して説明する。以下の実施形態の説明においては、図中の同一または相当部分には同一符号を付して、その説明は繰り返さない。
【００１５】
(実施形態１)
図１は、本発明の実施形態１に係る照明器具の外観を示す側面図である。図２は、本実施形態に係る照明器具の外観を示す斜視図である。
【００１６】
図１に示すように、本発明の実施形態１に係る照明器具１００は、被取付対象物である支柱１０にバンド２０で取り付けられて使用される照明器具である。照明器具１００の一端に角度調整用のアングル３０が接続されている。アングル３０には開口３１が形成されており、この開口３１にバンド２０が挿通される。
【００１７】
照明器具１００は、光源１１０と、互いに組み合わされて光源１１０を収納する本体ケース１２０および透光カバー１３０とを含んでいる。本実施形態においては、光源１１０としてＬＥＤを用いているため、照明器具の長寿命化および省電力化を図ることができる。ただし、光源１１０としては、ＬＥＤに限られず、ＨＩＤ(High Intensity Discharge)ランプなどを用いてもよい。
【００１８】
図３は、本実施形態に係る本体ケースの外観を示す斜視図である。図４は、本実施形態に係る本体ケースに弾性体が設けられた状態を示す斜視図である。図５は、図４の本体ケースを矢印Ｖ方向から見た図である。
【００１９】
図３〜５に示すように、本体ケース１２０は、光源１１０が配置されるベース部１２１およびベース部１２１の縁に位置して光源１１０を囲む周側壁１２２を有している。すなわち、周側壁１２２は、ベース部１２１から光源１１０が配置される側に膨出するように設けられている。本実施形態においては、本体ケース１２０は、アルミ製の薄板から形成されている。ただし、本体ケース１２０の材料は、アルミに限られず、他の金属または樹脂でもよい。本体ケース１２０は、表面に防錆のためのフッ素系の塗膜を有している。
【００２０】
ベース部１２１は、断面Ｖ字状で延在するように形成されている。ベース部１２１には、ＬＥＤと電気的に接続される電装部品が設けられている。電装部品には、光源１１０に接続される端子が含まれ、その端子は図示しない入力線に接続されている。入力線は、本体ケース１２０の一端からアングル３０の内部を通過して、支柱１０に設置されている商用電源と接続される。言い換えると、商用電源からの電気が、入力線を介してベース部１２１に位置する端子に接続された光源１１０に供給される。
【００２１】
周側壁１２２は、ベース部１２１に対して直交するように立ち上がっている。周側壁１２２は、ベース部１２１の縁の全周にわたって設けられている。
【００２２】
図４，５に示すように、弾性体１４０は、周側壁１２２の内側に沿うようにベース部１２１に設けられている。具体的には、弾性体１４０は、ベース部１２１と周側壁１２２とが交わる隅部に位置している。弾性体１４０は、接着剤によりベース部１２１に固定されている。
【００２３】
本実施形態においては、弾性体１４０は、複数の独立気泡を有するクッションで構成されている。具体的には、弾性体１４０として発泡ウレタンを用いている。発泡ウレタンは自己接着性を有しているため、ベース部１２１の表面において発泡ウレタンを発泡させることにより、接着剤を用いることなくベース部１２１に発泡ウレタンからなる弾性体１４０を接着することができる。ただし、弾性体１４０の材料は、これに限られず、後述する接着剤に対して耐性を有し、かつ、後述するように透光カバー１３０の周側部１３２を反力により弾性変形させられる程度の弾性を有する弾性体であればよい。
【００２４】
図６は、本実施形態に係る透光カバーの外観を示す斜視図である。図７は、図６の透光カバーを矢印ＶＩＩ方向から見た図である。
【００２５】
図１，６，７に示すように、透光カバー１３０は、本体ケース１２０の周側壁１２２の内側に嵌め込まれる周側部１３２を有している。透光カバー１３０は、本体ケース１２０と組み合わされた状態において、光源１１０を覆って光源１１０からの光を透過させる。
【００２６】
透光カバー１３０は、光源１１０と対向して位置する対向部１３１を有している。対向部１３１は、断面Ｖ字状で延在するように形成されている。本実施形態においては、透光カバー１３０は、ポリカーボネートから形成されている。ただし、透光カバー１３０の材料は、ポリカーボネートに限られず、アクリルなどの樹脂でもよい。
【００２７】
本実施形態においては、周側部１３２は、対向部１３１との間の角が鈍角となるように立ち上がっている。すなわち、透光カバー１３０においては、互いに対向する周側部１３２同士の間の距離が先端に行くに従って長くなるように周側部１３２が傾斜している。
ただし、周側部１３２の形状はこれに限られず、周側部１３２が対向部１３１に対して直交するように立ち上がっていてもよい。周側部１３２は、対向部１３１の縁の全周にわたって設けられている。また、周側部１３２の端面１３３は平坦面である。
【００２８】
図８は、本体ケースと透光カバーとを組み合わせる状態を示す側面図である。図８に示すように、本体ケース１２０に対して透光カバー１３０を矢印４０で示す向きに接近させて、周側壁１２２の内側に周側部１３２を嵌め込んで、本体ケース１２０と透光カバー１３０とを組み合わせる。
【００２９】
本実施形態においては、互いに組み合わせた状態で本体ケース１２０と透光カバー１３０とをボルトで締結することにより、本体ケース１２０と透光カバー１３０とを一体にする。ただし、本体ケース１２０と透光カバー１３０との組み合わせ構造はボルトによる締結構造に限られず、たとえば、スナップフィット構造であってもよい。具体的には、透光カバー１３０に板ばね状のフック部が形成され、本体ケース１２０にフック部と係合する凹部が形成されていてもよい。
【００３０】
以下、本実施形態に係る照明器具１００において、本体ケース１２０の周側壁１２２と透光カバー１３０の周側部１３２との嵌め合わせ構造について説明する。
【００３１】
図９は、本実施形態において、本体ケースの周側壁の内側に透光カバーの周側部を嵌め込む状態を示す断面図である。図１０は、本実施形態において、本体ケースの周側壁の内側に透光カバーの周側部が嵌め込まれた状態を示す断面図である。
【００３２】
図９に示すように、弾性体１４０のベース部１２１側とは反対側に接着剤１５０を塗布する。すなわち、弾性体１４０の周側部１３２と接する側に接着剤１５０を塗布する。
【００３３】
接着剤１５０は、塗布された状態において所定の形状を維持可能な粘性を有している。本実施形態においては、接着剤１５０の主成分は、シリコーン樹脂である。ただし、接着剤１５０の主成分は、シリコーン樹脂に限られず、エポキシ系樹脂などでもよい。
【００３４】
本体ケース１２０に嵌め合わされる前の透光カバー１３０の形状において、対向部１３１と周側部１３２とのなす角を角度ａとする。この状態の透光カバー１３０の周側部１３２を透光カバー１３０の本体ケース１２０への接近方向である矢印５０で示す方向に移動させて、本体ケース１２０の周側壁１２２の内側に嵌め込む。
【００３５】
図１０に示すように、本体ケース１２０と透光カバー１３０とが組み合わされた状態において、弾性体１４０は、周側部１３２とベース部１２１との間で挟まれて弾性変形している。周側部１３２は、上述のように傾斜しているため、周側部１３２の端面１３３を押す方向である矢印６０で示す方向、および、周側部１３２の内面を押す方向である矢印７０で示す方向の反力を弾性体１４０から受ける。
【００３６】
この弾性体１４０の弾性変形による反力により、周側部１３２は、周側部１３２を外側に押し広げる方向である矢印８０で示す方向に力を受けて周側壁１２２側に押圧される。その結果、透光カバー１３０は弾性変形して、対向部１３１と周側部１３２とのなす角が角度ｂとなる。角度ｂは角度ａより大きい。
【００３７】
なお、透光カバー１３０の弾性変形を抑制しないようにするために、周側部１３２が弾性体１４０の周側壁１２２側の端部近傍と接触することが好ましい。
【００３８】
このように本体ケース１２０と透光カバー１３０とを組み合わせた後、接着剤を固化させる。その結果、接着剤の一部１５１は、周側壁１２２側に押圧された周側部１３２と周側壁１２２との間で押し潰されて周側部１３２および周側壁１２２と密着した状態で固化している。接着剤の他の一部１５２は、周側部１３２と弾性体１４０との間で固化している。
【００３９】
上記のように、本体ケース１２０の周側壁１２２と透光カバー１３０の周側部１３２との間で、接着剤の一部１５１を押し潰して周側壁１２２および周側部１３２に密着させて固化させることにより、周側壁１２２と周側部１３２との間を隙間なく封止することができる。
【００４０】
上記の構成により、照明器具１００において、安定して高い防水性能を得ることができる。本実施形態においては、本体ケース１２０の表面に、接着剤１５０の主成分であるシリコーン樹脂との密着性が好ましくないフッ素系の塗膜が存在しているが、上記の構成により、接着剤の一部１５１とフッ素系の塗膜とを密着させて固化することができる。
【００４１】
本実施形態に係る照明器具１００は、ＩＰ(International Protection)規格においてＩＰ６５に適合し、高い防塵性能および防水性能を有している。そのため、寒冷地などで使用された際に、本体ケース１２０に積もった雪が光源１１０の熱により融解して、その融解水が内部に侵入すること、または、高温多湿地帯で使用された際に、高湿の空気が内部に侵入することを効果的に抑制することができる。
【００４２】
このような高い防塵性能および防水性能を保持させつつ、光源１１０としてＬＥＤを使用することにより、約１０年間の長期間にわたってメンテナンスフリーで照明器具１００を使用することができる。
【００４３】
以下、本発明の実施形態２に係る照明器具について説明する。本実施形態に係る照明器具は、本体ケースの周側壁と透光カバーの周側部との嵌め合わせ構造のみ実施形態１に係る照明器具１００と異なるため、他の構成については説明を繰り返さない。
【００４４】
(実施形態２)
図１１は、本発明の実施形態２に係る照明器具において、本体ケースの周側壁の内側に透光カバーの周側部を嵌め込む状態を示す断面図である。図１２は、本実施形態において、本体ケースの周側壁の内側に透光カバーの周側部が嵌め込まれた状態を示す断面図である。
【００４５】
図１１に示すように、本実施形態に係る透光カバー２３０においては、対向部２３１と周側部２３２とのなす角を角度ｃとすると、角度ｃが略直角である。また、周側部２３２の端面２３３は平坦面である。
【００４６】
そのため、弾性体２４０は、周側部２３２と接する側に、ベース部１２１から離れるに従って周側壁１２２から遠ざかる傾斜面２４１を有している。
【００４７】
図１１に示すように、弾性体２４０の傾斜面２４１に接着剤２５０を塗布する。すなわち、弾性体２４０の周側部２３２と接する側に接着剤２５０を塗布する。その後、透光カバー２３０の周側部２３２を透光カバー２３０の本体ケース１２０への接近方向である矢印５０で示す方向に移動させて、本体ケース１２０の周側壁１２２の内側に嵌め込む。
【００４８】
図１２に示すように、本体ケース１２０と透光カバー２３０とが組み合わされた状態において、弾性体２４０は、周側部２３２とベース部１２１との間で挟まれて弾性変形する。上述のように弾性体２４０が傾斜面２４１を有しているため、周側部２３２は、周側部２３２の端面２３３を押す方向である矢印６１で示す方向、および、周側部２３２の内面を押す方向である矢印７１で示す方向の反力を弾性体２４０から受ける。
【００４９】
この弾性体２４０の弾性変形による反力により、周側部２３２は、周側部２３２を外側に押し広げる方向である矢印８１で示す方向に力を受けて周側壁１２２側に押圧される。その結果、透光カバー２３０は弾性変形して、対向部２３１と周側部２３２とのなす角が角度ｄとなる。角度ｄは角度ｃより大きい。
【００５０】
なお、透光カバー２３０の弾性変形を抑制しないようにするために、周側部２３２が弾性体２４０の周側壁１２２側の端部近傍と接触することが好ましい。
【００５１】
このように本体ケース１２０と透光カバー２３０とを組み合わせた後、接着剤を固化させる。その結果、接着剤の一部２５１は、周側壁１２２側に押圧された周側部２３２と周側壁１２２との間で押し潰されて周側部２３２および周側壁１２２と密着した状態で固化している。接着剤の他の一部２５２は、周側部２３２と弾性体２４０との間で固化している。
【００５２】
上記のように、本体ケース１２０の周側壁１２２と透光カバー２３０の周側部２３２との間で、接着剤の一部２５１を押し潰して周側壁１２２および周側部２３２に密着させて固化させることにより、周側壁１２２と周側部２３２との間を隙間なく封止することができる。
【００５３】
本実施形態においても、照明器具にて安定して高い防水性能を得ることができる。
以下、本発明の実施形態３に係る照明器具について説明する。本実施形態に係る照明器具は、本体ケースの周側壁と透光カバーの周側部との嵌め合わせ構造のみ実施形態１に係る照明器具１００と異なるため、他の構成については説明を繰り返さない。
【００５４】
(実施形態３)
図１３は、本発明の実施形態３に係る照明器具において、本体ケースの周側壁の内側に透光カバーの周側部を嵌め込む状態を示す断面図である。図１４は、本実施形態において、本体ケースの周側壁の内側に透光カバーの周側部が嵌め込まれた状態を示す断面図である。
【００５５】
図１３に示すように、本実施形態に係る透光カバー３３０においては、対向部３３１と周側部３３２とのなす角を角度ｅとすると、角度ｅが略直角である。また、周側部３３２
は、弾性体１４０と接する端部に、先端に行くに従って周側壁１２２に近づく傾斜面３３３を有している。
【００５６】
図１３に示すように、弾性体１４０のベース部１２１側とは反対側に接着剤３５０を塗布する。すなわち、弾性体１４０の周側部３３２と接する側に接着剤３５０を塗布する。その後、透光カバー３３０の周側部３３２を透光カバー３３０の本体ケース１２０への接近方向である矢印５０で示す方向に移動させて、本体ケース１２０の周側壁１２２の内側に嵌め込む。
【００５７】
図１４に示すように、本体ケース１２０と透光カバー３３０とが組み合わされた状態において、弾性体１４０は、周側部３３２とベース部１２１との間で挟まれて弾性変形する。上述のように周側部３３２が傾斜面３３３を有しているため、周側部３３２は、周側部３３２の端面を押す方向である矢印６２で示す方向、および、周側部３３２の内面を押す方向である矢印７２で示す方向の反力を弾性体１４０から受ける。
【００５８】
この弾性体１４０の弾性変形による反力により、周側部３３２は、周側部３３２を外側に押し広げる方向である矢印８２で示す方向に力を受けて周側壁１２２側に押圧される。その結果、透光カバー３３０は弾性変形して、対向部３３１と周側部３３２とのなす角が角度ｆとなる。角度ｆは角度ｅより大きい。
【００５９】
なお、透光カバー３３０の弾性変形を抑制しないようにするために、周側部３３２が弾性体１４０の周側壁１２２側の端部近傍と接触することが好ましい。
【００６０】
このように本体ケース１２０と透光カバー３３０とを組み合わせた後、接着剤を固化させる。その結果、接着剤の一部３５１は、周側壁１２２側に押圧された周側部３３２と周側壁１２２との間で押し潰されて周側部３３２および周側壁１２２と密着した状態で固化している。接着剤の他の一部３５２は、周側部３３２と弾性体１４０との間で固化している。
【００６１】
上記のように、本体ケース１２０の周側壁１２２と透光カバー３３０の周側部３３２との間で、接着剤の一部３５１を押し潰して周側壁１２２および周側部３３２に密着させて固化させることにより、周側壁１２２と周側部３３２との間を隙間なく封止することができる。
【００６２】
本実施形態においても、照明器具にて安定して高い防水性能を得ることができる。
今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６３】
１０  支柱、２０  バンド、３０  アングル、３１  開口、１００  照明器具、１１０  光源、１２０  本体ケース、１２１  ベース部、１２２  周側壁、１３０，２３０，３３０  透光カバー、１３１，２３１，３３１  対向部、１３２，２３２，３３２  周側部、１３３，２３３  端面、１４０，２４０  弾性体、１５０，２５０，３５０  接着剤、１５１，１５２，２５１，２５２，３５１，３５２  接着剤の一部、２４１，３３３  傾斜面。
【図１】
2013222654.tif 000003
【図２】
2013222654.tif 000004
【図３】
2013222654.tif 000005
【図４】
2013222654.tif 000006
【図５】
2013222654.tif 000007
【図６】
2013222654.tif 000008
【図７】
2013222654.tif 000009
【図８】
2013222654.tif 000010
【図９】
2013222654.tif 000011
【図１０】
2013222654.tif 000012
【図１１】
2013222654.tif 000013
【図１２】
2013222654.tif 000014
【図１３】
2013222654.tif 000015
【図１４】
2013222654.tif 000016